(57)【要約】【課題】像担持体に潤滑剤を塗布することを中断したときであっても、その像担持体の磨耗を低減しつつその像担持体に付着する放電生成物を除去し、かかる放電生成物の付着に起因した画像欠陥が発生することない良好な画像形成を行うことができる画像形成装置を提供する。【解決手段】像担持体（２１）の像担持面に潤滑剤を塗布する潤滑剤塗布手段（３）と、トナーを保持した状態で像担持体の像担持面を摺擦するトナー保持摺擦手段（４）と、このトナー保持摺擦手段と潤滑剤塗布手段を切り替えて動作させる切替え手段（５）とを備えている。【選択図】図２
2007298817.tif 000002
【特許請求の範囲】
【請求項１】
トナーからなる像が保持される像保持面を有する像保持体と、この像保持体の像保持面に潤滑剤を塗布する潤滑剤塗布手段と、トナーを保持した状態で前記像保持体の像保持面を摺擦するトナー保持摺擦手段と、このトナー保持摺擦手段と潤滑剤塗布手段を切り替えて動作させる切替え手段とを備えていることを特徴とする画像形成装置。
【請求項２】
前記トナー保持摺擦手段に保持させるトナーを前記像保持体の像保持面に供給するトナー供給手段を備えている請求項１に記載の画像形成装置。
【請求項３】
前記潤滑剤塗布手段及びトナー保持摺擦手段が、前記像保持体の像保持面に接触して回転するとともに潤滑剤及びトナーを保持し得る接触回転体と、この接触回転体に接触して潤滑剤を供給する潤滑剤供給手段とに集約されたものであり、
かつ、前記切替え手段が、前記潤滑剤供給手段を前記接触回転体に接触させる動作とその接触回転体から離間させる動作を切り替えて行うものである請求項１又は２に記載の画像形成装置。
【請求項４】
前記潤滑剤供給手段が離間しているときの前記接触回転体に接触して、その回転体に保持されている潤滑剤を除去する潤滑剤除去手段を備えている請求項３に記載の画像形成装置。
【請求項５】
前記切替え手段が、前記潤滑剤供給手段及び潤滑剤除去手段を前記接触回転体に接触させる動作とその接触回転体から離間させる動作とを切り替えて行うものである請求項４に記載の画像形成装置。
【請求項６】
前記トナー保持摺擦手段に保持させるトナーを前記像保持体の像保持面に供給するトナー供給手段を備えており、
かつ、前記潤滑剤供給手段を接触回転体から離間させるとともに前記潤滑剤除去手段を接触回転体に接触させた後に、その接触回転体に前記トナー供給手段からトナーを供給する請求項４又は５に記載の画像形成装置。
【請求項７】
前記像保持体の前記潤滑剤塗布手段及びトナー保持摺擦手段を通過した後の像保持面に残留するトナーを除去して回収するトナー回収手段を備えている請求項３乃至６のいずれかに記載の画像形成装置。
【発明の詳細な説明】
【技術分野】
【０００１】
この発明は、トナーからなる画像を形成するプリンタ、複写機、ファクシミリ、複合機等の画像形成装置に関するものである。
【背景技術】
【０００２】
電子写真方式等を適用した画像形成装置においては、その画像形成に際し、感光体等からなる像保持体をコロナ放電方式、接触帯電方式等の帯電装置により所定の電位に帯電させているが、この際、その放電により窒素酸化物等の放電生成物が生成され、その放電生成物が硝酸アンモニウム等の物質になって像保持体の像保持面に付着することがある。放電生成物の生成は、帯電装置に限らず、コロナ放電や微小空間で放電が発生するような部位でも発生する。
【０００３】
このような像保持体への放電生成物の付着が起こると、その放電生成物が空気中の水分を吸着して電気抵抗の低い状態になるため、その像保持面が所定の電位を維持できなくなり、主に静電潜像の電位の横流れ等に起因した像流れが発生して画質の低下を招くという不具合がある。
【０００４】
この対策としては、主に、像保持体にステアリン酸亜鉛等の潤滑剤を塗布することが知られている。この潤滑剤の塗布により、像保持体への放電生成物の付着が低減するようになるほか、像保持体に付着してしまった放電生成物が潤滑剤と共にその像保持体に設置されるブレード方式等のクリーニング装置によって掻き取られるようになる。
【０００５】
ところが、潤滑剤を像保持体に塗布する場合は、像保持体の摩擦係数が低下するため用紙等の分離性が低下してしまうという問題があった。この現象は、潤滑剤の塗布により、特に像保持体とトナーとの間の吸着力が低下して非画像部に付着するトナー量が少なくなるため像保持体と用紙との密着性が高くなることによるものと考えられている。
【０００６】
これに対して、潤滑剤の塗布による用紙の分離性を低下させることなく、放電生成物の感光体への付着や蓄積を防止するため、感光体に潤滑剤を供給する供給手段とその潤滑剤を感光体から除去する除去手段との動作を制御して所定時間ごとに潤滑剤の供給及び除去を行うように構成された画像形成装置が知られている（特許文献１）。
【０００７】
また、上記した像流れの防止のために、感光体に付着した放電生成物をクリーニングブレードやクリーニングブラシを機械的に摺擦させて取り除くようにした場合は、その摺擦により特に有機感光材料からなる感光体にあってはその磨耗が進みやすく耐久性が低下するという問題があった。これに対しては、装置の電源オンしたときや１つの画像形成動作が終了した後所定時間が経過したときに、像保持体への潤滑剤の供給塗布を停止するように構成された画像形成装置が知られている（特許文献２）。
【０００８】
さらに、像保持体への潤滑剤の過剰な供給により像流れのような画像ぼけが発生するという問題があった。これに対しては、像保持体への潤滑剤の供給手段の動作及び停止を所定の時間間隔で交互に繰り返すよう行うように構成された画像形成装置が知られている（特許文献３）。例えば、１つの画像形成動作が終了した後所定時間が経過したときには、その次の画像形成動作が潤滑剤の供給手段の動作を停止させてからスタートして実行されるようになる。
【特許文献１】特開平９−１６０２１号公報
【特許文献２】特開２００１−３２４９０７号公報
【特許文献３】特開２０００−３３０４２５号公報
【発明の開示】
【発明が解決しようとする課題】
【０００９】
しかしながら、これらの従来の画像形成装置においても次のような問題がある。
【００１０】
すなわち、それらの画像形成装置では、像保持体への潤滑剤の供給を所定のタイミングで停止させる時期（特許文献１の場合には潤滑剤の除去を行う時期が相当する）が生じることになる。そして、その停止時期においては、像保持体の表面の潤滑剤の量が供給時に比べて相対的に少なくなるため、像保持体の表面をクリーニングブレード等にて摺擦しているのみでは放電生成物が十分に除去されなくなるという問題や、像保持体の表面の摩擦係数が増加して摺擦により像保持体の表面が磨耗されやすくなってその寿命が短くなるという問題がある。
【００１１】
この他、像保持体に付着する放電生成物を潤滑剤のみで除去しようとした場合には、像保持体に対して本来必要な量の潤滑剤よりも多めの潤滑剤が必要となり、これにより多量の潤滑剤の存在で像保持体の摩擦係数が低下する一方で、その像保持体とクリーニングブレード等のクリーニング部材との間の密着力が高まり、像担持体の回転トルクが上昇したり、そのクリーニング部材等の磨耗が増加するという不具合が発生してしまう。また、クリーニングブレード等の磨耗が進行した場合には、像保持体における現像剤のクリーニング不良が発生したり、そのブレード等の寿命が短くなってしまうという問題も発生する。
【００１２】
この発明は、このような問題点に鑑みてなされたものであり、主に、像保持体に潤滑剤を塗布することを中断したときであっても、その像保持体の磨耗を低減しつつその像保持体に付着する放電生成物を除去し、かかる放電生成物の付着に起因した画像欠陥が発生することない良好な画像形成を行うことができる画像形成装置を提供するものである。
【課題を解決するための手段】
【００１３】
本発明の画像形成装置は、トナーからなる像が保持される像保持面を有する像保持体と、この像保持体の像保持面に潤滑剤を塗布する潤滑剤塗布手段と、トナーを保持した状態で前記像保持体の像保持面を摺擦するトナー保持摺擦手段と、このトナー保持摺擦手段と潤滑剤塗布手段を切り替えて動作させる切替え手段とを備えているものである。
【００１４】
ここで、上記像保持体は、放電生成物が付着するおそれがあるとともにその付着による不具合が発生するものであればよく、通常は静電潜像とそれをトナーで現像したトナー像を保持する感光体であるが、これ以外にも例えば、未定着のトナー像を一時的に保持して所定の部位まで搬送する中間転写体等であってよい。また、像保持体の形態は、トナー像を保持し得る像保持面を有するものであれば特に限定されるものではなく、例えばドラム形態、ベルト形態等である。
【００１５】
上記潤滑剤塗布手段は、像保持体の像保持面に潤滑剤をほぼ均一に塗布することができるものであればよい。潤滑剤は、像保持体とクリーニングブレード等のクリーニング部材との摩擦を低減させる機能を持っているが、像保持体の像保持面への放電生成物の付着を防止するとともにその付着した放電生成物を除去するために有効となるものであり、例えば、ステアリン酸亜鉛等である。この潤滑剤塗布手段としては、例えば、像保持体の像保持面に接触した状態で潤滑剤の塗布を行うタイプのものを適用できる。
【００１６】
上記トナー保持摺擦手段は、トナーを保持した状態で像保持面に摺擦させることができるものであればよい。例えば、像保持体の像保持面に接触してトナーを保持し得るブラシや不織布からなる部材で構成される。このトナー保持摺擦手段は、像保持体の像保持面に接触する位置とその像保持面から離間する位置との間で変位するように支持され、これにより、そのトナーの保持及び摺擦を行うときには像保持面に接触する位置に移動され、それ以外のときには像保持面から離間する位置に移動される。
【００１７】
上記切替え手段は、上記トナー保持摺擦手段と潤滑剤塗布手段を切り替えて動作させることができるものであればよい。潤滑剤塗布手段の動作時期は、好ましくは後記のトナー保持摺擦手段の動作時期を除いたすべての時期である。またトナー保持摺擦手段の動作時期は、電源投入後で最初の画像形成動作の開始時、画像形成終了後から所定の時間が経過した後の最初の画像形成動作の開始時、湿度の高いとき等における所要の時間である。特に、トナー保持摺擦手段の動作を上記したような時期に行うことにより、特に一定の時間が経過した後に発生しやすい像流れが発生せず、常に同じ品質の画像の形成を行うことができる等のメリットがある。そして、この潤滑塗布手段及びトナー保持摺擦手段の動作の切り替え時期は、基本的に、トナー保持摺擦手段の動作時期の開始時及び終了時になるが、必要に応じて適切な時期に設定変更も可能である。
【００１８】
上記トナー保持摺擦手段に保持させるトナーは、像保持体の像保持面に保持されるトナー像が転写された後に残留する転写残留トナーとしてもよいが、所定の量のトナーを効率よく保持させてトナーの摺擦による放電生成物の除去を良好に行うようにする観点からすると、そのトナー保持摺擦手段に保持させるトナーを像保持体の像保持面に供給するトナー供給手段を備えていることが好ましい。このようなトナー供給手段は、例えば、潜像を現像するためのトナーを供給する現像装置とすることができるが、これ以外にも、その保持させるトナーを専用に供給する専用トナー供給装置としても差し支えない。
【００１９】
また、上記画像形成装置においては、その潤滑剤塗布手段及びトナー保持摺擦手段が、前記像保持体の像保持面に接触して回転するとともに潤滑剤及びトナーを保持し得る接触回転体と、この接触回転体に接触して潤滑剤を供給する潤滑剤供給手段とに集約されたものであり、かつ、上記切替え手段が、前記潤滑剤供給手段を前記接触回転体に接触させる動作とその接触回転体から離間させる動作を切り替えて行うものとなるように構成するとよい。
【００２０】
この場合には、潤滑剤塗布手段及びトナー保持摺擦手段が接触回転体と潤滑剤供給剤とに集約されたものになるとともに切替え手段も単に潤滑剤供給手段の像保持面との接離動作を行うものになるため、構成上の簡易化が図れるとともに、コスト面の低減化や設置スペースの省スペース化が図れるようになる。特に１つの接触回転体により潤滑剤の塗布とトナーの保持摺擦とを切り替えて行うことが可能になり、これにより接触回転体には潤滑剤及びトナーの少なくとも一方が保持されることになるため、接触回転体が像保持面に接触回転する際にもその潤滑剤又はトナーの存在によってその像保持面の磨耗が抑制されるようになる。
【００２１】
上記潤滑剤及びトナーを保持し得る接触回転体は、特にトナーを保持しやすいという観点からすると、極細繊維（例えば繊維の太さが１〜３０μｍ）からなるブラシ又は不織布を像保持面に接触させるように構成した回転体（ブラシロールや不織布ロール）であることが好ましい。
【００２２】
また、上記画像形成装置においては、その潤滑剤供給手段が離間しているときの前記接触回転体に接触して、その回転体に保持されている潤滑剤を除去する潤滑剤除去手段を備えていることが好ましい。
【００２３】
この場合は、潤滑剤供給手段が離間しているときの接触回転体に保持されている潤滑剤が潤滑剤除去手段により効率よく除去されるため、その潤滑剤の保持量が少なくなる分だけ接触回転体へのトナーの保持が行われやすくなり、保持されるトナーの摺擦による放電生成物の除去性能が良好に維持されるようになる。ちなみに、前記した特許文献１の画像形成装置のように像保持体に塗布した潤滑剤をクリーニングブレードや現像ブラシで除去する場合には、例えばその潤滑剤を塗布する回転ブラシロールに存在する潤滑剤を除去することが難しく、また少なくなるまでに多くの時間を要してしまう。
【００２４】
また、上記切替え手段は、前記潤滑剤供給手段及び潤滑剤除去手段を前記接触回転体に接触させる動作とその接触回転体から離間させる動作とを切り替えて行うものに構成するとよい。
【００２５】
この場合は、接触回転体から潤滑剤塗布手段を離間させた動作が終了した後にその接触回転体に潤滑剤除去手段を接触させる動作を関連付けて簡易にかつ効率よく切り替えて行うことができる。
【００２６】
さらに、上記画像形成装置においては、前記トナー保持摺擦手段に保持させるトナーを前記像保持体の像保持面に供給するトナー供給手段を備えており、かつ、前記潤滑剤供給手段を接触回転体から離間させるとともに前記潤滑剤除去手段を接触回転体に接触させた後にその接触回転体に前記トナー供給手段からトナーを供給するように構成するとよい。
【００２７】
この場合は、接触回転体へのトナーの保持を確実にかつ効率よく行うことができる。
【００２８】
以上の各画像形成装置においては、前記像保持体の前記潤滑剤塗布手段及びトナー保持摺擦手段を通過した後の像保持面に残留するトナーを除去して回収するトナー回収手段を備えていることが好ましい。
【００２９】
この場合は、トナーの保持摺擦により放電生成物を捕獲して除去したトナーが最終的にトナー回収手段で回収されるようになり、これにより放電生成物の回収も行われることになる。このときのトナー回収手段は、通常、像保持体に設置されるトナーの除去が可能なクリーニング装置であるが、そのクリーニング装置を設置しない場合は例えばトナーを回収するように構成した現像装置である。
【発明の効果】
【００３０】
本発明によれば、像保持体の像保持面に潤滑剤塗布手段により潤滑剤が塗布されるとともに、その潤滑剤の塗布が行われないときにトナー保持摺擦手段により像保持体の像保持面がトナーで摺擦されることになる。これにより、潤滑剤の塗布により像保持面に付着する放電生成物の除去が行われるようになることに加え、潤滑剤の塗布がされないときにはトナーの摺擦による放電生成物の除去が行われるようになる。また、そのトナーの摺擦時には、像保持体の像保持面がトナーを介して摺擦されるため、その像保持面が磨耗されにくくなる。
【００３１】
従って、像保持体に潤滑剤を塗布することを中断したときであっても、その像保持体の磨耗を低減しつつその像保持体に付着する放電生成物を除去することができるようになり、この結果、像保持体への放電生成物の付着及び蓄積に起因した像流れ現象が発生することのない良好な画像形成を行うことが可能になる。また、像保持体の磨耗が低減される分、その寿命の短命化を抑制することもできる。さらに、像保持体に潤滑剤を本来必要な塗布量よりも多く塗布する必要もないため、前述したような多量の塗布剤を塗布した場合におけるような不具合等が発生することもない。
【発明を実施するための最良の形態】
【００３２】
［実施の形態１］
図１及び図２は本発明の実施形態１に係るプリンタを示すものであり、図１はそのプリンタの全体の概要を示し、図２はそのプリンタの要部を拡大して示している。
【００３３】
このプリンタ１は、図示しない装置本体の内部に、画像情報に基づくトナー像を形成した後に用紙９に転写する作像装置１０と、そのトナー像が転写された用紙９を通過させて熱定着を行う定着装置２０と、作像装置１０に用紙９を供給する給紙装置２５とが主に装備されている。図１中の符号６０はこのプリンタの各動作を制御するための制御装置であり、矢付き一点鎖線は用紙９の主な搬送経路を示す。
【００３４】
作像装置１０は、例えば公知の電子写真方式を利用してトナー像を形成することができるものである。具体的には、矢印方向に回転駆動する円筒状の感光体ドラム１２を備えており、この感光体ドラム１２の周囲に、感光体ドラム１２の表面（像保持面）を一様に帯電させる帯電ロール等からなる帯電装置１３と、帯電後の感光体ドラム１２の表面に画像情報（信号）に基づく像光を照射して電位差のある潜像を形成するＬＥＤアレイ、レーザ走査装置等からなる露光装置１４と、その潜像にトナーを転移付着させてトナー像を形成する現像装置１５と、そのトナー像を給紙装置２５から供給される用紙９に転写する転写ロール等からなる転写装置１６と、転写後の感光ドラム１２の表面に残留するトナー等を除去して清掃するブレード方式のクリーニング装置１７が主に配置されている。
【００３５】
このうち、感光ドラム１２は、ドラム状の基材に有機感光材料からなる光導電性層（感光層）を形成したものである。また、露光装置１４には、プリンタ１に接続又は装備される原稿読取装置、パーソナルコンピュータ等の外部機器から入力される画像情報を図示しない画像処理装置で所要の処理をして得られる画像信号が入力されるようになっている。また、クリーニング装置１７は、そのハウジング１７ａの内部に、感光ドラム１２の像保持面にその回転軸方向にわたって所定の圧力で圧接してトナー等を除去するクリーニング弾性ブレード１７ｂと、このクリーニング弾性ブレード１７ｂで除去されて落下収集されるトナー等を図示しない廃トナー収容部に搬送する回転搬送部材（オーガなど）１７ｃとが設置されている。
【００３６】
定着装置２０は、矢印方向に回転駆動する加熱ロール２１と、この加熱ロール２１の軸線方向にほぼ沿うように圧接されて従動回転する加圧ロール２２とを備えたものであり、その両ロール２１，２２どうしの圧接部にトナー像が転写された用紙９を導入して通過させることで定着を行うようになっている。
【００３７】
給紙装置２５は、作像装置１０に供給すべき複数枚の用紙９が積載されて収容される給紙カセット２６と、この給紙カセット２６に収容される用紙９を１枚ずつ送り出す送出機構２７とを主に備えたものである。給紙カセット２６は、必要により複数用意される。また、給紙装置２５は、用紙９を給紙カセット２６から作像装置１０の転写部（感光ドラム１２と転写装置１６の間）まで搬送するための用紙搬送ロール対２８ａ，２８ｂ，…やガイド部材等で構成される用紙搬送路を装備している。用紙搬送路は、作像装置１０と定着装置２０の間や、定着装置２０と排紙部（トレイなど）２９の間にも設置されている。例えば定着装置２０の用紙排出側には定着後の用紙９を排紙部２９に排出搬送する排出ロール対２８ｃが設置されている。
【００３８】
また、このプリンタ１においては、作像装置１０における帯電装置１３の帯電（コロナ放電、隙間放電など）時等に発生する放電生成物が感光ドラム１２の表面に付着することがあるため、その付着した放電生成物を除去する対策として、以下のような構成（潤滑剤塗布及びトナー保持摺擦を切り替えて実行する装置２）を採用している。
【００３９】
すなわち、図２に示すように、作像装置１０におけるクリーニング装置１７に、感光ドラム１２の表面に接触して潤滑剤を塗布する潤滑剤塗布部３と、トナーを保持した状態で感光ドラム１２の表面を摺擦するトナー保持摺擦部４と、この潤滑剤塗布部３とトナー保持摺擦部４を切り替えて動作させる切替え部５とを組み込むように設けている。
【００４０】
この実施形態１では、同じく図２に示すように、クリーニング装置１７のハウジング１７ａ内に、クリーニング弾性ブレード１７ｂよりも感光ドラムの回転方向上流側の位置において感光ドラム１２に接触して回転駆動する回転ブラシロール３１と、回転ブラシロール３１に接触して潤滑剤を供給する潤滑剤供給ユニット３３と、回転ブラシロール３１に接触してそのブラシロール３１に保持されている潤滑剤を除去する潤滑剤除去ユニット３７と、潤滑剤供給ユニット３２と潤滑剤除去ユニット３５を回転ブラシロール３１に接触させる動作とその回転ブラシロール３１から離間させる動作とを切り替えて行う切替え機構５１とを設けている。図２中の符号１７ｄは、クリーニング弾性ブレード１７ｂで除去されて落下するトナー等を収集するようにハウジング１７ａ内を仕切る仕切り板である。
【００４１】
回転ブラシロール３１は、潤滑剤塗布部３の一部及びトナー保持摺擦部４を構成するものであり、シャフト３１ａの周面に極細繊維からなるブラシ毛３１ｂを所定の密度で放射状に立設させたものである。特にブラシ毛３１ｂは、潤滑剤とトナーをそれぞれ保持することができるようにするため、繊維の太さが０．５〜２５μｍ程度の極細繊維からなるブラシ毛を使用している。この例では、ブラシ毛３１ｂとして、ナイロン繊維からなる太さが０．５デニールのブラシ毛を使用している。
【００４２】
また、回転ブラシロール３１は、そのブラシ毛３１ｂが感光ドラム１２の回転軸方向に沿って接触するとともにそのブラシ毛先端部がドラム表面に接した際に少し曲げられるように接触する状態で回転するように支持されており、そのシャフト３１ａに図示しない駆動装置から回転動力が伝達されて矢印方向（この例では感光ドラム２１の回転方向とは逆の方向）に回転駆動するようになっている。駆動装置は、他の回転部品を駆動させるための駆動装置から得られる動力を利用するように構成することで代用してもよい。
【００４３】
潤滑剤供給ユニット３３は、潤滑剤塗布部３の残りの一部を構成するものであり、ステアリン酸亜鉛等の潤滑剤を固形化して回転ブラシロール３１の軸（シャフト）方向にそって接するような形状に成形した固形潤滑剤３３ａをホルダー３３ｂに固定するように取り付けたものである。固形潤滑剤３３ａは、回転ブラシロール３１との接触によりほぼ一定の量の潤滑剤がブラシロール３１側に移行するように所定の量及び強さでブラシロールに接触するように設定されている。この潤滑剤供給ユニット３３は、後述する切替え機構５１における揺動フレーム（５２）の一端部側に取り付けられている。また、潤滑剤の塗布量が微量でかつ一定になるように、潤滑剤供給ユニット３３の供給量や回転ブラシロール３１の塗布量などが設定される。
【００４４】
潤滑剤除去ユニット３７は、ポリエステルやナイロン等の材料を用いて回転ブラシロール３１のブラシ毛先端部にそのロール軸方向にそって接触するような大きさの中空構造に成形した潤滑剤吸着部材で構成されている。この潤滑剤除去ユニット３７は、後述する切替え機構５１における揺動フレーム（５２）のうち潤滑剤供給ユニット３３が取り付けられる端部とは異なる側の端部に取り付けられている。
【００４５】
切替え機構５１は、切替え部５を構成するものであり、回転ブラシロール３１の近傍となる位置に設置される支軸５２ａを中心にして揺動する断面がほぼＶ字形状の揺動フレーム５２と、この揺動フレーム５２をその両端部が回転ブラシロール３１に対して接近又は離間するような状態となるように矢印方向Ａ，Ｂに揺動させる揺動装置５３とで構成されている。揺動フレーム５２は、その一端部５２ｂに潤滑剤供給ユニット３３が固定して取り付けられており、その他端部５２ｃに潤滑剤除去ユニット３７が固定して取り付けられている。また、揺動装置５３は、揺動フレーム５２の一端部５２ｂに連結され、そのフレーム５２全体を矢印方向Ａ，Ｂに揺動させるように矢印方向Ｃ，Ｄに作動する作動アーム５３ａと、この作動アーム５３ａを矢印方向Ｃ，Ｄに往復動させるソレノイド、カム機構等のアーム駆動装置５３ｂとで構成されている。
【００４６】
また、この潤滑剤塗布部３（３１，３３）による潤滑剤の塗布を行わない（中断する）ときは、回転ブラシロール３１にむけてトナーが供給される。この例では、感光ドラム１２の表面にそのドラム回転軸の方向にそって所定の幅で延びるような帯状のトナー像（トナーバンド）を現像装置１５で形成し、そのトナーバンドを感光ドラム１２の回転により転写装置１６による転写を行わず回転ブラシロール３１に達するまで搬送することでトナーの供給を行っている。上記トナーバンドの形成は、通常のトナー像を形成する場合と同様の動作（感光ドラムの帯電、トナーバンドの潜像を形成するための露光及びその潜像の現像の一連の動作）を実行することで行われる。
【００４７】
そして、この潤滑剤塗布及びトナー保持摺擦を切り替えて実行する装置２においては、感光ドラム１２への潤滑剤の塗布を行うときには潤滑剤供給ユニット３３を回転ブラシロール３１に接触させるようになっている。また、トナーの保持及び摺擦を行うときには、潤滑剤供給ユニット３３を回転ブラシロール３１から離間させるとともに潤滑剤除去ユニット３７を回転ブラシロール３１に接触させるようになっている。さらに、回転ブラシロール３７から潤滑剤を除去するときには、潤滑剤供給ユニット３３を回転ブラシロール３１から離間させるとともに潤滑剤除去ユニット３７を回転ブラシロール３１に接触させるようになっている。
【００４８】
潤滑剤の塗布を行う時期は、原則として、トナーの保持及び摺擦を行う時期以外の時期である。また、トナーの保持及び摺擦を行う時期は、プリンタ本体の電源投入後の最初のプリント動作の開始時と、プリント動作が所定の経過時間以上行われなかった後の最初のプリント開始時期と、高湿度であるときのプリント動作が所定の枚数分に達した時期（ごと）である。さらに、回転ブラシロール３１から潤滑剤を除去する時期は、潤滑剤の塗布を中断した後からトナーの保持及び摺擦を行うまでの間である。
【００４９】
また、トナーの保持及び摺擦の動作は、作動設定時間（例えば３０秒〜３分）や感光ドラム１２の設定回転数（例えば６０回転）などの設定条件に従って行われるが、この例では１分程度の設定時間だけ行われる。また、プリント動作が所定の経過時間以上行われなかった後の最初のプリント開始時期の場合は、その所定経過時間を湿度の検知結果レベルに応じて変更することができ、この例では、例えば湿度が７５％ＲＨ未満のときは所定経過時間を「２０分」とし、湿度が７５％ＲＨ以上のときは所定経過時間を「３分」としている。さらに、湿度が例えば８５％ＲＨ以上のときには、プリント開始時に加えて、プリント枚数が所定枚数（例えば５０枚）に達した時期ごとにトナーの保持及び摺擦の動作を行うようにしている。
【００５０】
そして、潤滑剤の塗布動作とトナー保持及び摺擦動作の切り替えは、トナー保持及び摺擦動作の始期及び終期に合せて行われる。
【００５１】
これら潤滑剤の塗布、トナーの保持及び摺擦、潤滑剤の除去及びトナー（バンド）供給に関係する回転ブラシロール３１、切替え機構５１及びトナーバンド用の作像装置１０の各動作の開始時期や駆動時間などについては、制御装置６０により制御される。この場合、制御装置６０には、上記動作の制御を行うために使用する情報として、プリンタ１に対して入力されるプリント開始指令の入力情報や、プリント動作（ジョブ）が終了してから次のプリント開始指令の入力があるまでの経過時間をカウントした経過時間情報、プリンタ１内の湿度を検出する湿度検出センサ６５からの湿度検出情報などが入力されるように設定されている。
【００５２】
次に、このプリンタ１における各動作について説明する。
【００５３】
まず、基本的なプリント動作について説明する。プリンタ１がプリント開始指令を受けると、作像装置１０において感光ドラム１２が回転し始めるとともにその表面が帯電装置１３により所定の電位に帯電された後、その帯電した感光ドラム１２に画像信号に基づいて露光装置１４から像光が走査露光されて静電潜像が形成される。続いて、その潜像が現像装置１５を通過する際にトナーにより現像されてトナー像とされた後、そのトナー像が転写装置１６と対向する転写部において給紙装置２５から給紙路を通して所定のタイミングで搬送される用紙９に対して静電的に転写される。この転写後の感光ドラム１２は、その表面に残留付着するトナー、紙粉等がクリーニング装置１７によって除去されて清掃される。
【００５４】
トナー像が転写された用紙９は、定着装置２０に導入されるように搬送され、その定着装置２０における加熱ロール２１と加圧ロール２２の圧接部を通過する際に加熱及び加圧されることでトナー像の定着がなされる。その後、この定着後の用紙９は、排出ロール対２８ｃにより排紙部２９に排出されて積載収容される。これにより、用紙１枚に対する基本的なプリント動作が終了する。また、複数枚のプリント指示がある場合には、上記した一連の動作がその枚数分だけ同様に繰り返されることになる。
【００５５】
次いで、このプリンタ１における潤滑剤塗布及びトナー保持摺擦の動作について説明する。
【００５６】
まず、潤滑剤の塗布時期（この例では基本的に感光ドラム１２が回転する時期）になると、回転ブラシロール３１が感光ドラム１２とともに回転し始めるとともに、切替え機構５１における揺動装置５３のアーム駆動装置５３ｂが駆動してその作動アーム５３ａを矢印Ｃ方向に作動させる（図３）。なお、回転ブラシロール３１自体は感光ドラム１２と共に常に回転する（他の動作時も同様である）。
【００５７】
これにより、図３に示すように、揺動フレーム５２が支軸５２ａを中心にして矢印Ａ方向に揺動してそのフレームの端部５２ｂが回転ブラシロール３１に近づく位置に変位するため、その端部５２ｂにある潤滑剤供給ユニット３３の固形潤滑剤３３ａが回転ブラシロール３１に接触した状態になる。この際、潤滑剤除去ユニット３７は回転ブラシロール３１から離間した状態に置かれている。そして、その固形潤滑剤３３ａが回転ブラシロール３３のブラシ毛３３ｂによって保持されるように少しずつ掻き取られた後、そのブラシ毛３３ｂが感光ドラム１２に接触して通過する際に、そのブラシ毛３３ｂに付着して保持された潤滑剤がドラム表面側に一部又は全部が転移して塗布される。
【００５８】
この結果、感光ドラム１２の表面に潤滑剤が薄膜状の層３５となって塗布される。また、この潤滑剤の塗布により、感光ドラム１２の表面に放電生成物が付着した場合でもクリーニング装置１７によって潤滑剤とともに少しずつ除去されるようになる。
【００５９】
続いて、潤滑剤の塗布が中止されてトナーの保持及び摺擦を行う時期になると、回転ブラシロール３１が感光ドラム１２と共に回転し始めるとともに、切替え機構５１における揺動装置５３のアーム駆動装置５３ｂが駆動してその作動アーム５３ａを矢印Ｄ方向に変位させる（図４）。つまり、このトナー保持及び摺擦の動作は、前記したような各条件を満たすことになる時期であり、例えば、電源投入後の最初のプリント開始時や、プリント動作が所定の経過時間（湿度の検出結果に応じて変更あり）以上行われなかった後の最初のプリント開始時期や、高湿度であるときの所定のプリント動作到達時である。
【００６０】
これにより、図４に示すように、揺動フレーム５２が支軸５２ａを中心にして矢印Ｂ方向に揺動してそのフレームの端部５２ｃが回転ブラシロール３１に近づく位置に変位するため、その端部５２ｃにある潤滑剤除去ユニット３７がブラシロール３１に接触した状態になる。この際、潤滑剤供給ユニット３３は回転ブラシロール３１から離間した状態に置かれている。そして、その潤滑剤除去ユニット３７により、回転ブラシロール３３のブラシ毛３３ｂに保持されている潤滑剤が掻き取られるようにして除去される。
【００６１】
また、この潤滑剤除去ユニット３７による回転ブラシロール３１からの潤滑剤の除去が所定時間（例えば５秒程度）行われると、揺動装置５３のアーム駆動装置５３ｂが駆動してその作動アーム５３ａを矢印Ｃ方向に少し変位させるとともに、作像装置１０において感光ドラム１２の表面にトナーバンドＴＢを形成し、そのトナーバンドＴＢを回転ブラシロール３１に達するよう搬送して供給する（図５）。
【００６２】
これにより、図５に示すように、揺動フレーム５２が支軸５２ａを中心にして矢印Ａ方向に少し戻されるように揺動してそのフレームの両端部５２ｂ，５２ｃが共に回転ブラシロール３１から離間した中立の位置に変位するため、その各端部にある潤滑剤供給ユニット３３と潤滑剤除去ユニット３７の双方がブラシロール３１から離れた状態になる。この結果、回転ブラシロール３１は、そのブラシ毛３１ｂから潤滑剤が大幅に取り除かれた状態に置かれるとともに、感光ドラム１２のみに接触して回転する状態に置かれる。
【００６３】
一方、作像ユニット１０においては、感光ドラム１２が帯電装置１３で帯電された後に露光装置１４で露光されてトナーバンド用の静電潜像が形成され、その静電潜像が現像装置１５により現像されてトナーバンドＴＢとなる。このトナーバンドＴＢは、転写部で用紙９に転写されることなく（転写装置１６を作動させず）、感光ドラム１２の回転によって少なくとも回転ブラシロール３１に達するまで搬送される。
【００６４】
これにより、図５に示すように、トナーバンドＴＢが感光ドラム１２と接して回転する回転ブラシロール３１を通過する際に、そのトナーバンドを構成するトナーの少なくとも一部（Ｔａ）がブラシ毛３１ｂに付着するように保持される。そして、その保持されたトナーＴａは回転ブラシロール３１の回転によって感光ドラム１２の表面に接して通過することになるため、あたかもそのドラム表面を摺擦するようになる。また、ブラシ毛３３ｂに保持されず回転ブラシロール３１を単に通過するトナーも、そのブラシロール３１と感光ドラム１２に一時的に滞留してドラム表面を少し摺擦するようになる。
【００６５】
さらに、このときの回転ブラシロール３１は、そのブラシ毛３１ｂに潤滑剤塗布工程で保持させた潤滑剤がある程度残留付着しているため、その潤滑剤もトナーと共に感光ドラム１２と接することなり、このため感光ドラムの表面が回転ブラシロール３１の接触回転によって磨耗されることが低減されるようになる。
【００６６】
この結果、感光ドラム１２の表面がトナーＴａを保持した回転ブラシロール３１で摺擦されるようになるため、感光ドラム１２の表面に付着している放電生成物がトナーＴａによって捕獲されるようにして除去される。また、トナーバンドＴＢのトナーがすべて回転ブラシロール３１を通過し終わる頃になると、回転ブラシロール３１に保持されたトナーＴａは次第に感光ドラム１２側に戻されるようになり、そのドラム回転方向下流側にあるクリーニング装置１７（ブレード１７ｂ）によって除去される。これにより、トナーＴａ等によって捕獲された放電生成物は、そのトナーが感光ドラム１２側に戻されると、最終的にクリーニング装置１７によって除去されるようになる。
【００６７】
次いで、このトナーの保持及び摺擦の動作がその所要時間行われた後、潤滑剤の塗布時期が再来すると（この例ではトナー保持及び摺擦動作が終了した後の時期はすべて該当する）、前述したような潤滑剤塗布のための動作が同様に実行される。すなわち、切替え機構５１により潤滑剤供給ユニット３３が回転ブラシロール３１に当接させられる。また、その後において潤滑剤の塗布が中止されてトナーの保持及び摺擦を行う時期が再来すると、やはり前述したようなトナー保持及び摺擦のための動作が同様に実行される。
【００６８】
図６は、上記回転ブラシロール３１に保持されている潤滑剤又はトナーの保持量の推移状態を示すものである。
【００６９】
潤滑剤の塗布時は、前記したように回転ブラシロール３１に潤滑剤供給ユニット３３が接触するため、図６に示すように潤滑剤の保持量が多い状態になる。一方、トナーの保持及び摺擦時には、前記したように潤滑剤供給ユニット３３が回転ブラシロール３１から離間するため、その潤滑剤の保持量が次第に減少する状態になる。しかも、本例のように潤滑剤供給ユニット３３に代えて潤滑剤除去ユニット３７を回転ブラシロール３１に接触させる場合には、その潤滑剤の保持量が急激に減少する状態になる。また、このトナー保持及び摺擦時には、前記したように回転ブラシロール３１にむけてトナーバンドによるトナーの供給が行われるため、そのトナーの保持量が多い状態にある。なお、回転ブラシロール３１に潤滑剤が多く保持されている間は、トナーを供給しても、その潤滑剤の存在によりトナーがブラシに保持されにくく、トナー保持量もすぐには増加しないことが確認されている。
【００７０】
図６から明らかなように、回転ブラシロール３１は、潤滑剤又はトナーのいずれか一方が少なくとも多く保持された状態になっている。このため、この回転ブラシロール３１が感光ドラム１２に対して接触回転しても、その潤滑剤又はトナーの存在によりそのドラム表面を磨耗させることが低減されるようになる。また、この回転ブラシロール３１は、潤滑剤の塗布とトナー保持及び摺擦（潤滑剤の除去を含むこともある）とが切り替えて行われるため、潤滑剤とトナーの一方の保持量がゼロになってしまうことはなく必ず少量ではあるが残存するようになり、このことによっても感光ドラムの表面の磨耗が抑制されるようになる。そして特に、回転ブラシロール３１が潤滑剤の保持量が少ない状態が発生する場合でも、そのブラシロールにトナーを積極的に供給して多量に保持させることにより、感光ドラムの表面の磨耗を抑制しながら、その表面に付着する放電生成物の除去を行うことが可能になるという特有の作用効果が得られる。
【００７１】
図７は、上記感光ドラム１２の駆動トルクについて種々の条件下で調べた結果を示すものである。駆動トルクは、トルク計測機を用いて測定している。
【００７２】
はじめに、感光ドラム１２が新品で未使用のとき（潤滑剤の塗布なし）の駆動トルクを調べ、その値を基準にして他の試験及びその評価を行った。ちなみに、その新品で未使用時における駆動トルクは２０ｍＮｍ程度であった。そして、この新品の感光ドラム１２の表面に潤滑剤を塗布したときの駆動トルクを調べたところ、図７に示すように、その潤滑剤を塗布しない新品の感光ドラムの場合に比べるとほぼ同等の値となった。これは、感光ドラムの表面が潤滑剤の存在により摩擦係数が大きく変化しないことを示している。
【００７３】
続いて、感光ドラム１２を通常の帯電条件よりも電流値を多く設定した帯電装置１３により５００回転程度回転させて繰り返し帯電させることでそのドラム表面に放電生成物を（予防及び除去することなく）付着させたときの駆動トルクを調べたところ、図７に示すように、その駆動トルクは大幅に増加した。これは、感光ドラムの表面が放電生成物の付着により摩擦係数が急激に増加したことを示している。この際、感光ドラム１２には潤滑剤を塗布していない。
【００７４】
この放電生成物を付着させた感光ドラム１２に対して一定量のトナーを保持させた回転ブラシロール３１を接触させて回転させたとき（感光ドラムを約５０回程度だけ回転させた後）の駆動トルクを調べたところ、図７に示すように、その駆動トルクは大幅に低下した。これは、トナーが保持された回転ブラシロールを感光ドラムの表面に対して接触回転させることにより、そのドラム表面に付着していた放電生成物が除去されて、その表面の摩擦係数も低下したことを示している。なおこのときにも、感光ドラム１２には潤滑剤を塗布していない。
【００７５】
図８は、上記感光ドラム１２の表面における接触角について条件別に調べた結果を示すものである。接触角は、周知の方法で調べた。
【００７６】
この試験は、新品の感光ドラム１２に前記したような条件で放電生成物を意図的に付着させたものを２つ用意するとともに、トナーの保持量を２種類に設定した回転ブラシロール３１をそれぞれ用意した後、その各感光ドラム１２にその２種の回転ブラシロール３１をそれぞれ同じ条件で接触させて５００回程度回転させるまでの間その各感光ドラム表面の接触角を定期的に測定したものである。トナー保持量は、Ａｇ／ｍ2（例えば３０ｇ／ｍ2）の場合とその２倍の２・Ａｇ／ｍ2の場合に設定した。図８には、参考までに新品で未使用時の感光ドラムの接触角を併せて示した。
【００７７】
図８の結果から、トナー保持量が多い（２・Ａｇ／ｍ2）回転ブラシロールを接触回転させた場合の方が、その接触角が新品の場合のときの値により近づく値までに回復されることが判明した。これは、その測定表面に放電生成物が付着しているときには接触角が低下する傾向にあるため、放電生成物がより多く除去されたことを示していると考えられる。このことから、放電生成物をより多く除去する観点からすると、回転ブラシロールのトナー保持量を多めにすることが有効であることがわかる。
【００７８】
［実施の形態２］
図９は、本発明の実施形態２に係るカラープリンタの要部を示すものである。
【００７９】
この実施形態２に係るプリンタは、潤滑剤塗布及びトナー保持摺擦を切り替えて実行する装置２に関し、潤滑剤の塗布部３とトナーの保持及び摺擦部４とを独立した形態にするとともに切替え部５についてその潤滑剤塗布部３とトナー保持及び摺擦部４を切り替えるように構成した以外は実施形態１に係るプリンタ１と同じ構成からなるものである。
【００８０】
潤滑剤の塗布部３は、回転ブラシロール３２と潤滑剤供給ユニット３３とで主に構成されている。回転ブラシロール３２は、シャフト３２ａの周面に極細繊維からなるブラシ毛３１ｂを所定の密度で放射状に立設させたものであり、そのシャフト及びブラシ毛については実施形態１における回転ブラシロール３１のシャフト及びブラシ毛と同じ構成にしている。潤滑剤供給ユニット３３は、実施形態１における潤滑剤供給ユニット３３と同じ構成のものであり、固形潤滑剤３３ａとホルダー３３ｂとで構成されている。また、潤滑剤塗布部３による潤滑剤の塗布時期は、実施形態１の場合と同様である。
【００８１】
トナーの保持及び摺擦部４は、回転ブラシロール３４で主に構成されている。この回転ブラシロール３４は、シャフト３４ａの周面に極細繊維からなるブラシ毛３４ｂを所定の密度で放射状に立設させたものであり、そのシャフト及びブラシ毛については実施形態１における回転ブラシロール３１のシャフト及びブラシ毛と同じ構成にしている。また、トナー保持及び摺擦部４によるトナーの保持及び摺擦時期は、実施形態１の場合と同様である。
【００８２】
また、回転ブラシロール３２及び回転ブラシロール３４はいずれも、感光ドラム１２の表面と接触する位置とその表面から離間した位置に変位できるように支持されており、ソレノイド、カム機構等からなる変位駆動装置５５，５６とそれぞれ連結されてその各位置にそれぞれ変位移動するように構成されている。潤滑剤供給ユニット３３は、回転ブラシロール３２に接触した状態で一体的に変位するように支持されているが、回転ブラシロール３２から離間されるように構成してもよい。変位駆動装置５５，５６は、潤滑剤の塗布時期やトナー保持及び摺擦時期に合せて駆動するが、その動作については切替え制御装置５７で制御される。なお、この切替え制御装置５７は、実施形態１の場合と同様に、プリンタ１全体の制御装置６０で代用してもよい。
【００８３】
そして、この実施形態２では、潤滑剤の塗布時期になると、潤滑剤の塗布部３における回転ブラシロール３２が変位駆動装置５５により感光ドラム１２に接触する位置に変位させられると同時に、図示しない駆動装置により矢印方向に回転し始める。
【００８４】
これにより、潤滑剤供給ユニット３３から回転ブラシロール３２に供給されるとともに、その潤滑剤供給ユニット３３からブラシ毛３２ｂに供給されて保持された潤滑剤が感光ドラム１２の表面に塗布される。
【００８５】
続いて、潤滑剤の塗布が中止されてトナーの保持及び摺擦を行う時期になると、図１０に示すように、まず潤滑剤の塗布部３における回転ブラシロール３２が変位駆動装置５５により感光ドラムから離間した位置に変位させられる。これと同時又はその直後に、トナーの保持及び摺擦部４における回転ブラシロール３４が変位駆動装置５６により感光ドラム１２に接触する位置に変位させられると同時に、図示しない駆動装置により矢印方向に回転し始める。また、このトナー保持及び摺擦部４の動作に合せて、実施形態１の場合と同様に作像装置１０においてトナーバンドが感光ドラム１２上に作成されて回転ブラシロール３４に達するように供給される。
【００８６】
これにより、トナーバンドＴＢが回転ブラシロール３４を通過する際に、そのトナーバンドを構成するトナーの少なくとも一部（Ｔａ）がブラシロール３４のブラシ毛３１ｂに付着するように保持される。そして、その保持されたトナーＴａが、回転ブラシロール３４の回転によって感光ドラム１２の表面に接して通過することによりそのドラム表面を摺擦するようになる。
【００８７】
この結果、感光ドラム１２の表面がトナーＴａを保持した回転ブラシロール３４で摺擦されるようになるため、そのドラム表面に付着している放電生成物がトナーＴａによって捕獲されるようにして除去される。また、トナーバンドＴＢのトナーがすべて回転ブラシロール３４を通過し終わる頃になると、回転ブラシロール３４に保持されたトナーＴａは次第に感光ドラム１２側に戻されるようになり、そのドラム回転方向下流側にあるクリーニング装置１７（ブレード１７ｂ）によって除去される。これにより、トナーＴａ等によって捕獲された放電生成物は、そのトナーが感光ドラム１２側に戻されると、最終的にクリーニング装置１７によって除去されるようになる。
【００８８】
［他の実施形態］
実施形態１、２においては、トナーの保持及び摺擦の動作を行う時期として、湿度の検出結果を考慮した時期やその検出結果に応じて経過時間の変更するような構成について例示したが、その湿度の検出結果を考慮しないように設定しても構わない。特に、その時期として、プリント動作が所定の経過時間以上行われなかった後の最初のプリント開始時期を適用する場合には、その経過時間を常に同じ時間（例えば２０分など）に設定して対応すればよい。
【００８９】
また、実施形態１、２では、潤滑剤塗布及びトナー保持摺擦を切り替えて実行する装置２としての潤滑剤塗布部３やトナー保持摺擦部４（及び切替え部５）をクリーニング装置１７と一体的に設置した場合を示したが、クリーニング装置１７とは別に独立した状態で設置するように構成することもできる。ただし、この場合も、その独立した形態の装置２（少なくともトナー保持摺擦部４）は、クリーニング装置１７よりも感光ドラム回転方向上流側の位置に設置する。
【００９０】
さらに、実施形態１、２では、画像形成装置として単色のトナー像を形成するタイプのプリンタを例示したが、カラーのトナー像（画像）を形成するタイプの画像形成装置を適用できることは言うまでもない。
【図面の簡単な説明】
【００９１】
【図１】実施形態１（２）に係るプリンタの概要を示す説明図である。
【図２】図１のプリンタの要部（実施形態１における潤滑剤塗布部、トナー保持摺擦部及び切替え部）を示す概略説明図である。
【図３】潤滑剤の塗布時の動作状態を示す説明図である。
【図４】潤滑剤の除去時の動作状態を示す説明図である。
【図５】トナーの保持摺擦時の動作状態を示す説明図である。
【図６】回転ブラシロールに保持されている潤滑剤又はトナーの量の関係を示すブラフ図である。
【図７】各条件下における感光ドラムの駆動トルクを測定した結果を示すグラス図である。
【図８】回転ブラシロールのトナー保持量を異ならせてトナー保持摺擦を行ったときの感光ドラム表面の接触角を測定した結果を示すグラフ図である。
【図９】実施形態２における潤滑剤塗布部、トナー保持摺擦部及び切替え部（ならびに潤滑剤の塗布時の動作状態）を示す概略説明図である。
【図１０】図９の装置によるトナー保持摺擦時の動作状態を示す説明図である。
【符号の説明】
【００９２】
１…プリンタ（画像形成装置）、３…潤滑剤の塗布部（潤滑剤塗布手段）、４…トナーの保持摺擦部（トナー保持摺擦手段）、５…切替え部（切替え手段）、１２…感光ドラム（像保持体）、１５…現像装置（トナー供給手段）、１７…クリーニング装置（トナー回収手段）、３１，３２…回転ブラシロール（潤滑剤塗布手段及びトナー保持摺擦手段の一部）、３３…潤滑剤供給ユニット（潤滑剤塗布手段の一部）、３４…回転ブラシロール（トナー保持摺擦手段）、３７…潤滑剤除去ユニット（潤滑剤除去手段）、５１…切替え機構（切替え手段）、Ｔ…トナー、Ｔａ…保持トナー。
【図１】
2007298817.tif 000003
【図２】
2007298817.tif 000004
【図３】
2007298817.tif 000005
【図４】
2007298817.tif 000006
【図５】
2007298817.tif 000007
【図６】
2007298817.tif 000008
【図７】
2007298817.tif 000009
【図８】
2007298817.tif 000010
【図９】
2007298817.tif 000011
【図１０】
2007298817.tif 000012